(57)【特許請求の範囲】
【請求項１】
車体前部において車幅方向に延びるビーム部材と、
前記ビーム部材の両端部の後方に配設されて前後方向に延びる左右のフレーム部材と、
前記ビーム部材の前記両端部と前記フレーム部材の前端部との間にそれぞれ配設されてこれらの部材を連結する左右の連結部材とを備え、
左右の前記連結部材と左右の前記フレーム部材とがそれぞれ、左右の結合部で結合されている車両の前部車体構造であって、
前記結合部は、該結合部の上側を前後方向に締結する上側締結部と、下側を前後方向に締結する下側締結部とを有しており、
前記上側締結部及び前記下側締結部はそれぞれ、左右２箇所に設けられており、
左右の前記上側締結部は、互いに上下にオフセットして位置しており、
左右の前記下側締結部は、互いに上下にオフセットして位置しており、
左右の前記結合部のそれぞれにおいて、前記上側締結部の１つと前記下側締結部の１つとを結ぶ線分のうち車幅方向の最も外側に位置する外側線分と車幅方向の最も内側に位置する内側線分とのそれぞれの中点を結ぶ締結部上下二等分線は、水平方向に対して傾斜するように、前記上側締結部及び前記下側締結部が、配置されており、
左右の前記結合部は、車幅方向に対称になるように前記上側締結部及び前記下側締結部が、配置され、
左右の前記締結部上下二等分線は、正面視において同一直線上になく、
左右の前記結合部はそれぞれ、前記上側締結部と前記下側締結部との間が非締結とされている、
ことを特徴とする車両の前部車体構造。
【請求項２】
左右の前記結合部は、それぞれの前記締結部上下二等分線が、水平方向に対して互いに反対方向に傾斜するように、前記上側締結部及び前記下側締結部が、配置されている、
請求項１に記載の車両の前部車体構造。
【発明の詳細な説明】
【技術分野】
【０００１】
本発明は、車両の前部車体構造に関し、特に、車体の前端部において車幅方向に延びるビーム部材が、両端部において、該ビーム部材の後方において前後方向に延びる左右のフレーム部材の前端部に、連結部材を介して着脱自在に結合された車両の前部車体構造に関する。
【背景技術】
【０００２】
従来、車両の前部には、バンパを取り付けるためのバンパビームが配置されている。バンパビームは車幅方向に延びており、その両端部の後面が連結部材としてのクラッシュカンを介して、前後方向に延びる左右のフレーム部材の前端部に連結されている。なお、クラッシュカンによれば、車体前方から入力された衝撃荷重を、クラッシュすることによって吸収して、フレーム部材への衝撃荷重の伝達が抑制されるようになっている。
【０００３】
また、フレーム部材への影響が小さい軽衝突をした場合の修理時には、クラッシュカン及びバンパビームのみ交換することができるように、クラッシュカンとフレーム部材との間の結合部は、ボルト等を用いた締結部によって着脱可能に構成されている。
【０００４】
すなわち、重量物であるバンパビーム及びバンパは、フレーム部材に着脱自在に取り付けられたクラッシュカンによって片持ち状態で支持されているので、クラッシュカンのフレーム部材に結合されている基部を起点として上下に振動しやすく、該振動がクラッシュカン及びフレーム部材を介して車室内に伝達されることになる。
【０００５】
これに対して、特許文献１には、クラッシュカンとフレーム部材との結合部を、剛結合部と柔結合部とで構成することによって、剛結合部において結合力を維持しつつ、柔結合部においてクラッシュカンから伝達される振動エネルギを吸収することによって、フレーム部材から車室内への振動の伝達を抑制する、車両の前部車体構造が開示されている。
【先行技術文献】
【特許文献】
【０００６】
【特許文献１】特開２０１１−２５５８１５号公報
【発明の概要】
【発明が解決しようとする課題】
【０００７】
ところで、特許文献１の車両の前部車体構造では、柔結合部を、クラッシュカンとフレーム部材との間に設けた隙間に減衰部材を配設することによって実現するものである。しかしながら、クラッシュカンとフレーム部材との間に隙間を設けるようにクラッシュカン及び／又はフレーム部材の少なくともいずれか一方の合わせ面を形成する必要があり、形状が複雑となるため製造が容易でない。
【０００８】
さらに、クラッシュカンとフレーム部材との間に形成した隙間に、減衰部材を介在させて組み付ける必要があり組立工数が増大する。すなわち、特許文献１の前部車体構造は生産性が悪化してしまう。
【０００９】
この発明は、上記課題を解決するためになされたものであり、生産性を悪化させることなく、車体前部の振動を効果的に抑制できる車両の前部車体構造を提供することを目的とする。
【課題を解決するための手段】
【００１０】
本願の発明者は、車両の前部車体構造が、クラッシュカン等の連結部材とフレーム部材との結合部において、上下に配置された複数の締結部における、上側の締結部と下側の締結部との上下方向の略中間に振動軸線が位置し、該振動軸線の周りに振動し易いことを、鋭意検討の結果、見出した。すなわち、本願発明は、振動軸線を、左右の結合部で異ならせることによって、前部車体構造の振動を効果的に抑制するものであり、次のように構成したことを特徴とする。
【００１１】
まず、本願の請求項１に記載の発明は、車体前部において車幅方向に延びるビーム部材と、前記ビーム部材の両端部の後方に配設されて前後方向に延びる左右のフレーム部材と、前記ビーム部材の前記両端部と前記フレーム部材の前端部との間にそれぞれ配設されてこれらの部材を連結する左右の連結部材とを備え、左右の前記連結部材と左右の前記フレーム部材とがそれぞれ、左右の結合部で結合されている車両の前部車体構造であって、前記結合部は、該結合部の上側を前後方向に締結する上側締結部と、下側を前後方向に締結する下側締結部とを有しており、前記上側締結部及び前記下側締結部はそれぞれ、左右２箇所に設けられており、左右の前記上側締結部は、互いに上下にオフセットして位置しており、左右の前記下側締結部は、互いに上下にオフセットして位置しており、左右の前記結合部のそれぞれにおいて、前記上側締結部の１つと前記下側締結部の１つとを結ぶ線分のうち車幅方向の最も外側に位置する外側線分と車幅方向の最も内側に位置する内側線分とのそれぞれの中点を結ぶ締結部上下二等分線は、水平方向に対して傾斜するように、前記上側締結部及び前記下側締結部が、配置されており、左右の前記結合部は、車幅方向に対称になるように前記上側締結部及び前記下側締結部が、配置され、左右の前記締結部上下二等分線は、正面視において同一直線上になく、左右の前記結合部はそれぞれ、前記上側締結部と前記下側締結部との間が非締結とされていることを特徴とする。
【００１２】
また、請求項２に記載の発明は、前記請求項１に記載の車両の前部車体構造において、左右の前記結合部は、それぞれの前記締結部上下二等分線が、水平方向に対して互いに反対方向に傾斜するように、前記上側締結部及び前記下側締結部が、配置されていることを特徴とする。
【発明の効果】
【００１５】
前記の構成により、本願各請求項の発明によれば、次の効果が得られる。
【００１６】
まず、請求項１に記載の発明によれば、左右の結合部のそれぞれの締結部上下二等分線が水平方向に対して傾斜しているので、左右の結合部において、締結部上下二等分線が一致することがない。これによって、左右それぞれの結合部における締結部上下二等分線の周りの連結部材の振動モードが左右で異なることになる。この結果、左右の連結部材の振動モードが一致することによる共振を防止して、車体前部の振動を効果的に抑制できる。
【００１７】
しかも、締結部の配置によって、締結部上下二等分線を容易に水平方向に対して傾斜させることができる。よって、生産性を悪化させることなく、車体前部の振動を効果的に抑制できる。
【００１８】
また、請求項２に記載の発明によれば、左右の結合部における締結部上下二等分線が互いに反対方向に傾斜しているので、左右の連結部材の締結部上下二等分線周りの振動のうち車幅方向成分が、ビーム部材に圧縮、引っ張り方向に作用することになり、互いに反対方向に作用して打ち消されることになる。したがって、本構成によれば、車体前部の振動をより効果的に抑制できる。
【図面の簡単な説明】
【００２２】
【図１】本発明の一実施形態に係る前部車体構造を示す斜視図である。
【図２】バンパビーム組立体を取り外した状態を示す図１の前部車体構造の分解斜視図である。
【図３】図１のＸ方向矢視によるバンパビーム組立体の後面図である。
【図４】変形例に係るバンパビーム組立体を示す図３と同様の後面図である。
【図５】更なる変形例に係るバンパビーム組立体を示す図３と同様の後面図である。
【図６】更なる変形例に係るバンパビーム組立体を示す図３と同様の後面図である。
【図７】締結部の配置の変形例を示す取付プレートの後面図である。
【発明を実施するための形態】
【００２３】
以下、本発明の実施形態について説明する。なお、以下の説明において、前後、左右、上下等の各方向は、特段の説明がある場合を除いて、車両に乗車した乗員から見た各方向を指すものとする。
【００２４】
図１は、本発明の一実施形態に係る車両の前部車体構造を示している。図１に示すように、車体前部には、車幅方向に延びる金属製のバンパビーム２（ビーム部材）が配設されており、バンパビーム２にはバンパ（不図示）が取り付けられるようになっている。バンパビーム２の車幅方向両端部の後方には、前後方向に延びる左右一対のフレーム部材１０が配設されている。
【００２５】
左右のフレーム部材１０の前端部には、それぞれ金属製のセットプレート１１が例えば溶接によって固着されている。左右のセットプレート１１は、前後方向及び上下方向の略同位置において車幅方向及び鉛直方向に略平行に配設されている。
【００２６】
バンパビーム２の両端部の後面とフレーム部材１０の前端部との間には、左右一対のクラッシュカン２０（連結部材）が配設されており、バンパビーム２はクラッシュカン２０を介してフレーム部材１０に連結されている。クラッシュカン２０によれば、車体前方からの衝撃荷重の入力時にクラッシュすることで衝撃エネルギを吸収するように構成されており、これによって、フレーム部材１０側に伝達される衝撃の緩和が図られている。
【００２７】
クラッシュカン２０は、前後方向に延びるクラッシュカン本体２１と、クラッシュカン本体２１の後端部に例えば溶接によって固着された金属製の取付プレート２２と、を有している。クラッシュカン２０は、クラッシュカン本体２１の前端部でバンパビーム２の両端部の後面に例えば溶接によって結合されており、後端部の取付プレート２２がセットプレート１１に着脱自在に結合されている。
【００２８】
すなわち、バンパビーム２及び左右のクラッシュカン２０によって、一体としてフレーム部材１０から着脱自在である、バンパビーム組立体１が構成されている。このように、バンパビーム組立体１をフレーム部材１０から着脱自在に構成することによって、フレーム部材１０側への影響が軽微であるような軽衝突時には、フレーム部材１０の修理を不要にしつつバンパビーム組立体１のみを交換できるので、整備性がよい。
【００２９】
図２は、フレーム部材１０からバンパビーム組立体１を取り外した状態を示す、前部車体構造の分解斜視図である。図２に示すように、取付プレート２２は、略矩形状に形成されており、セットプレート１１に結合されるプレート面２２ａが車幅方向及び鉛直方向に略平行となるように配設されている。取付プレート２２の４隅には、締結ボルト３が挿通されるボルト挿通孔２３が形成されている。一方、セットプレート１１には、ボルト挿通孔２３に対応する位置にボルト挿通孔１３が形成されており、その後面にはナット４が例えば溶接によって固着されている。
【００３０】
したがって、バンパビーム組立体１は、締結ボルト３を、ボルト挿通孔２３，１３に前方から順に挿通させつつナット４に締結させることによって、フレーム部材１０の前端部に着脱自在に結合できるようになっている。すなわち、少なくとも締結ボルト３、ナット４、及びボルト挿通孔２３，１３によって取付プレート３２の４隅に４つの締結部３０が構成され、これらの締結部３０と、取付プレート２２及びセットプレート１１と、によってバンパビーム組立体１をフレーム部材１０に結合する、左右一対の結合部５Ｌ，５Ｒが構成されている。
【００３１】
次に図３を参照して、左右の結合部５Ｌ，５Ｒにおける、締結部３０の配置について具体的に説明する。図３は、図１のＸ方向矢視によるバンパビーム組立体１を後方から見た図である。図３に示すように、右側の結合部５Ｒには、右側締結部３０Ｒとして第１〜第４締結部３０１Ｒ〜３０４Ｒが配置されており、左側の結合部５Ｌには、左側締結部３０Ｌとして第１〜第４締結部３０１Ｌ〜３０４Ｌが配置されている。
【００３２】
まず、右側締結部３０Ｒの配置について説明する。第１及び第２締結部３０１Ｒ，３０２Ｒは、右側締結部３０Ｒのうち上側を締結する上側締結部として構成されている。第１締結部３０１Ｒは、車幅方向の外側に配置され、第２締結部３０２Ｒは、車幅方向の内側であって第１締結部３０１Ｒよりも上側に配置されている。第３及び第４締結部３０３Ｒ，３０４Ｒは、右側締結部３０Ｒのうち下側を締結する下側締結部として構成されている。第３締結部３０３Ｒは、車幅方向の外側に配置され、第４締結部３０４Ｒは、車幅方向の内側であって第３締結部３０３Ｒよりも上側に配置されている。
【００３３】
このように右側締結部３０Ｒを配置したので、上側締結部（第１及び第２締結部３０１Ｒ，３０２Ｒ）と、下側締結部（第３及び第４締結部３０３Ｒ，３０４Ｒ）との間を、上下に略二等分する右側締結部上下二等分線３７Ｒは、車幅方向外側へ進むにつれて下方へ延びるように、水平方向に対して右下がりに傾斜することになる。
【００３４】
ここで、締結部上下二等分線の求め方について具体的に説明すると、締結部上下二等分線は、上側締結部の１つと下側締結部の１つとを結ぶ線分のうち、最も車幅方向の外側に位置する外側線分と最も車幅方向の内側に位置する内側線分とのそれぞれの中点を結ぶ線分として画定される。
【００３５】
したがって、本実施形態では、上側締結部の１つと下側締結部の１つとを結ぶ線分３５ａ〜３５ｄのうち、外側線分は第１締結部３０１Ｒと第３締結部３０３Ｒとを結ぶ線分３５ａであり、内側線分は第２締結部３０２Ｒと第４締結部３０４Ｒとを結ぶ線分３５ｄとして画定される。そして、右側締結部上下二等分線３７Ｒは、線分３５ａの中点Ａ１と、線分３５ｄの中点Ａ２とを結ぶ線分として画定され、車幅方向外側へ進むにつれて下方へ延びるように、水平方向に対して右下がりに傾斜することになる。
【００３６】
同様に、左側締結部３０Ｌの配置について説明すると、左側締結部３０Ｌは、右側締結部３０Ｒと締結部の配置が車幅方向に対称に構成されている。すなわち、第１及び第２締結部３０１Ｌ，３０２Ｌは、左側締結部３０Ｌのうち上側を締結する上側締結部として構成されている。第１締結部３０１Ｌは、車幅方向の外側に配置され、第２締結部３０２Ｌは、車幅方向の内側であって第１締結部３０１Ｌよりも上側に配置されている。第３及び第４締結部３０３Ｌ，３０４Ｌは、左側締結部３０Ｌのうち下側を締結する下側締結部として構成されている。第３締結部３０３Ｌは、車幅方向の外側に配置され、第４締結部３０４Ｌは、車幅方向の内側であって第３締結部３０３Ｌよりも上側に配置されている。
【００３７】
同様に、左側締結部について、上側締結部と下側締結部との間を上下に略二等分する左側締結部上下二等分線３７Ｌは、車幅方向外側へ進むにつれて下方へ延びるように、水平方向に対して左下がりに傾斜することになる。
【００３８】
すなわち、左右の結合部５Ｌ，５Ｒのそれぞれにおいて、車幅方向の内側に位置する第２及び第４締結部３０２Ｌ，３０２Ｒ，３０４Ｌ，３０４Ｒを、それぞれ、車幅方向の外側に位置する第１及び第３締結部３０１Ｌ，３０１Ｒ，３０３Ｌ，３０３Ｒよりも上方に位置するように配置したので、左右の締結部上下二等分線３７Ｌ，３７Ｒは、共に車幅方向の外側に進むにつれて下方に延びるように、互いに反対方向に水平方向に対して傾斜することになる。
【００３９】
ところで、バンパビーム組立体１は、バンパビーム２にバンパ（不図示）が取り付けられた状態で、左右のフレーム部材１０の前端部に片持ち状態で支持されており、左右のフレーム部材１０に結合された、クラッシュカン２０の基部側を基点として、上下に振動することになる。より具体的には、上記バンパビーム組立体１は、左右の結合部５Ｌ，５Ｒにおいて、左右の締結部上下二等分線３７Ｌ，３７Ｒの周りに上下に振動し易い。
【００４０】
本実施形態では、上述したように、左右の締結部上下二等分線３７Ｌ，３７Ｒが、水平方向に対して傾斜しているので、左右の締結部上下二等分線３７Ｌ，３７Ｒが一致することがない。換言すれば、左右の締結部上下二等分線３７Ｌ，３７Ｒが、正面視において同一直線上に位置していない。これによって、左右の結合部５Ｌ，５Ｒにおける締結部上下二等分線３７Ｌ，３７Ｒ周りの、クラッシュカン２０の振動モードが左右で異なることになる。この結果、左右のクラッシュカン２０の振動モードが一致することによる、共振を防止して、バンパビーム組立体１の振動を効果的に抑制できる。
【００４１】
しかも、締結部３０の配置によって、左右の締結部上下二等分線３７Ｌ，３７Ｒを容易に水平方向に対して傾斜させることができる。よって、生産性を悪化させることなく、バンパビーム組立体１の振動を効果的に抑制できる。
【００４２】
さらに、本実施形態では、左右の締結部上下二等分線３７Ｌ，３７Ｒが、互いに反対方向に傾斜しているので、左右のクラッシュカン２０の、対応する結合部５Ｌ，５Ｒにおける締結部上下二等分線３７Ｌ，３７Ｒ周りの振動のうち車幅方向成分が、互いに反対方向に作用して打ち消されることになる。これによって、バンパビーム組立体１は、振動の車幅方向成分が抑制されることに伴い、上下方向への振動も抑制されることになる。
【００４３】
つまり、左右の締結部上下二等分線３７Ｌ，３７Ｒは、共に車幅方向外側へ進むにつれて下方へ延びているので、バンパビーム組立体１が上方へ振動するとき左右のクラッシュカン２０は互いに離間するように車幅方向外側へ変位しようとし、バンパビーム組立体１が下方へ移動するとき左右のクラッシュカン２０は互いに近接するように車幅方向内側へ変位しようとする。しかしながら、左右のクラッシュカン２０は、バンパビーム２によって連結されているので、その振動成分のうち車幅方向成分が互いに打ち消し合うように作用する結果、バンパビーム組立体１の振動がより一層抑制されることになる。
【００４４】
換言すると、振動モードが異なる左右のクラッシュカン２０の上下方向への振動は、左右のクラッシュカン２０を接続するバンパビーム２に対して車幅方向への圧縮及び引っ張りとして作用することになるが、これに対して剛体であるバンパビーム２が好適に抗するので、バンパビーム組立体１の振動が効果的に抑制されることになる。
【００４５】
なお、締結部上下二等分線３７は、バンパビーム組立体１の振動をより好適に抑制するためには傾斜角度が大きいほど、左右のクラッシュカン２０の振動成分のうち車幅方向成分が互いに打ち消し合う作用が増大することになり、好ましくは水平方向に対して少なくとも５度傾斜していればよく、より好ましくは１０度以上傾斜しているのがよい。
【００４６】
また、図４に示すように、左右の締結部上下二等分線４７Ｌ，４７Ｒが、車幅方向外側に進むにつれて上方に延びるように、互いに対向して水平方向に対して傾斜するように、左右の各締結部４０を配置してもよい。これによっても、図３に示した締結部３０の配置と同様に、左右のクラッシュカン２０は、それぞれの振動成分のうち車幅方向成分が互いに打ち消し合うように作用することになるので、クラッシュカン２０の振動がより一層抑制されることになる。
【００４７】
また、図５に示すように、上側締結部（第１及び第２締結部５０１，５０２）のみ左右の締結部５０を上下にオフセットさせて、下側締結部（第３及び第４締結部５０４，５０４）を上下方向の略同位置に配置してもよい。これによっても、締結部上下二等分線５７を、水平方向に対して容易に傾斜させることができる。しかも、片持ち構造であるために、下側締結部（第３及び第４締結部５０３，５０４）に比して荷重が増大し易い上側締結部を上下にオフセットして配置することによって、上側締結部への荷重により効果的に抗し易く、バンパビーム組立体１の振動をより効果的に抑制できる。
【００４８】
また、左右のクラッシュカン２０の振動のうち、車幅方向成分を左右のクラッシュカンで互いに相殺させるには、締結部上下二等分線を左右対称となるよう、同じ角度で互いに反対方向に水平方向に対して傾斜させるように、左右の締結部を配置するのが好ましい。しかしながら、左右の締結部上下二等分線は、同じ角度で傾斜していなくてもよく、また、同一方向に傾斜するものであってもよい。
【００４９】
すなわち、締結部上下二等分線が左右で一致しなければよく、図６に示すように、少なくとも一方の結合部５（図６では右側の締結部上下二等分線６７Ｒのみが傾斜している）における締結部上下二等分線が水平方向に対して傾斜していればよい。これによって、左右のクラッシュカン２０の締結部上下二等分線周りの振動モードが一致することによる共振を防止して、バンパビーム組立体１の振動を抑制できる。
【００５０】
上記実施形態では、結合部５を、矩形状に締結部３０を配置する場合を例にとり、説明したが、これに限らず、上述したように上側締結部の１つと下側締結部の１つとを結ぶ線分のうち、最も車幅方向の外側に位置する外側線分と最も車幅方向の内側に位置する内側線分のそれぞれの中点を結ぶ線分を、締結部上下二等分線として画定すればよい。
【００５１】
すなわち、図７（ａ）に示すように、上側締結部としての第１締結部７０１と、下側締結部としての第２及び第３締結部７０２，７０３とによって締結部７０を配置した場合には、上側締結部の１つと下側締結部の１つとを結ぶ線分は、第１及び第２線分７５ａ，７５ｂであり、このうち、車幅方向の最も外側に位置する第１線分７５ａと、車幅方向の最も内側に位置する第２線分７５ｂの、それぞれの中点Ｂ１，Ｂ２を結ぶ線分が、締結部上下二等分線７７として画定される。
【００５２】
また、図７（ｂ）に示すように、上側締結部としての第１締結部８０１と、下側締結部としての第２〜第４締結部８０２〜８０４とによって締結部８０を配置した場合には、上側締結部の１つと下側締結部の１つとを結ぶ線分は、第１〜第３線分８５ａ〜８５ｃであり、このうち、車幅方向の最も外側に位置する第１線分８５ａと、車幅方向の最も内側に位置する第２線分８５ｃの、それぞれの中点Ｃ１，Ｃ２を結ぶ線分が、締結部上下二等分線８７として画定される。
【００５３】
また、図７（ｃ）に示すように、上側締結部としての第１〜第３締結部９０１〜９０３と、下側締結部としての第４及び第５締結部９０４，９０５が含まれる場合には、上側締結部の１つと下側締結部の１つとを結ぶ線分は、第１〜第６線分９５ａ〜９６ｆであり、このうち、車幅方向の最も外側に位置する第１線分９５ａと、車幅方向の最も内側に位置する第２線分９５ｆの、それぞれの中点Ｄ１，Ｄ２を結ぶ線分が、締結部上下二等分線９７として画定される。
【００５４】
また、上記実施形態では、締結部を、締結ボルト３、ナット４、及びボルト挿通孔２３，１３によって構成したが、これに限らず、取付プレート２２をセットプレート１１に着脱自在に固定できるものであればよく、締結ボルト及びナットのほか、例えばリベットを採用してもよく、その他の様々な締結手段を採用できる。
【００５５】
上記各実施形態では、左右の結合部５Ｌ，５Ｒを、前後方向及び鉛直方向の略同位置に設けたが、これに限らない。すなわち、左右の締結部上下二等分線の少なくとも一方が、正面視（前面視又は後面視）において、水平方向に対して傾斜していればよく、左右の結合部５Ｌ，５Ｒの位置は特に限定されるものではない。
【００５６】
特許請求の範囲に記載された本発明の精神および範囲から逸脱することなく、各種変形及び変更を行うことも可能である。
【産業上の利用可能性】
【００５７】
以上説明したように、本発明に係る車両の前部車体構造によれば、生産性を悪化させることなく、車体前部の振動を効果的に抑制できるので、この種の製造技術分野において好適に利用される可能性がある。
【符号の説明】
【００５８】
１      バンパビーム組立体
２      バンパビーム
３      締結ボルト
４      ナット
５      結合部
１０    フレーム部材
１１    セットプレート
１３    ボルト挿通孔
２０    クラッシュカン
２１    クラッシュカン本体
２２    取付プレート
２３    ボルト挿通孔
３０    締結部
３７    締結部上下二等分線
【図１】
0006269604.tif 000002
【図２】
0006269604.tif 000003
【図３】
0006269604.tif 000004
【図４】
0006269604.tif 000005
【図５】
0006269604.tif 000006
【図６】
0006269604.tif 000007
【図７】
0006269604.tif 000008